(57)【要約】【課題】移動機による通信回線への接続処理中に、当該移動機がサーバ装置から表示データを受信した時点や場所に応じた可変的なデータを表示することである。【解決手段】移動機１０は、通信制御部１１と、表示コンテンツ格納部１５と、表示部１７とを少なくとも備える。通信制御部１１は、プロキシサーバ２０から送信されたＷｅｂページを受信する。このＷｅｂページには表示コンテンツが含まれている。表示コンテンツ格納部１５には、通信制御部１１により受信された表示コンテンツが格納される。好適には、表示部１７に表示可能な表示コンテンツが格納される。表示部１７は、移動機１０による無線チャネルへの接続処理中に、表示コンテンツ格納部１５に格納されている表示コンテンツを表示する。好適には、有効期限内又は表示回数が残存する表示コンテンツが表示される。【選択図】  図１
2005051366.tif 000002
【特許請求の範囲】
【請求項１】
サーバ装置から送信された、コンテンツデータを含む表示データを受信する受信手段と、
前記受信手段により受信された前記表示データに含まれる前記コンテンツデータを格納する格納手段と、
通信回線への接続処理中に、前記格納手段に格納されている前記コンテンツデータを表示する表示手段とを備えることを特徴とする移動機。
【請求項２】
前記受信手段により受信された前記表示データに含まれる前記コンテンツデータが、前記表示手段に表示可能なデータである場合に、当該コンテンツデータを前記格納手段に格納させる格納判定手段を更に備えることを特徴とする請求項１記載の移動機。
【請求項３】
前記格納手段に格納された前記コンテンツデータが有効期限内のデータである場合に、当該コンテンツデータを前記表示手段に表示させる表示判定手段を更に備えることを特徴とする請求項１記載の移動機。
【請求項４】
前記格納手段に格納された前記コンテンツデータに設定された表示回数が残存する場合に、当該コンテンツデータを前記表示手段に表示させる表示判定手段を更に備えることを特徴とする請求項１記載の移動機。
【請求項５】
請求項１に記載の移動機に表示データを送信するサーバ装置であって、
前記移動機の位置情報に基づいてコンテンツデータを選択する選択手段と、
前記選択手段により選択された前記コンテンツデータを含む表示データを前記移動機宛に送信する送信手段とを備えることを特徴とするサーバ装置。
【請求項６】
前記コンテンツデータは、前記移動機の位置情報に応じたイベントに関する情報であることを特徴とする請求項５に記載のサーバ装置。
【請求項７】
サーバ装置から送信された、コンテンツデータを含む表示データを受信する受信処理と、
前記受信処理により受信された前記表示データに含まれる前記コンテンツデータを格納手段に格納する格納処理と、
通信回線への接続処理中に、前記格納手段に格納されている前記コンテンツデータを表示手段に表示する表示処理とを移動機に実行させることを特徴とする表示制御プログラム。
【発明の詳細な説明】
【０００１】
【発明の属する技術分野】
本発明は、移動機、サーバ装置、及び表示制御プログラムに関する。
【０００２】
【従来の技術】
従来、インターネット等のオンラインサービスの利用が可能な携帯電話を始めとする移動機は、オフラインからオンラインへの移行処理中、すなわち通信回線への接続処理中に、この旨をユーザに提示するためのデータを表示する。かかるデータは、例えば、“お知らせ  取得中”等のテキストデータであり、移動機に予め実装された移動機固有のコンテンツデータ（以下、「デフォルトコンテンツ」と記す。）である（例えば、特許文献１参照。）。
【０００３】
【特許文献１】
特開２００１−１８４２８３号公報  （第３−４頁、図１）
【０００４】
【発明が解決しようとする課題】
しかしながら、上記従来技術では、接続処理中に表示されるデータが移動機固有のものであることに起因して、以下に示す問題点があった。ユーザは、移動機によりオンラインサービスを利用する度に、デフォルトコンテンツを見ることになるが、デフォルトコンテンツは、単に通信回線への接続処理中である旨を通知するのみであり、回線接続する時点や場所を問わず常に同一の内容である。このため、ユーザにとって、あまり有益な情報であるとはいえなかった。
【０００５】
そこで、本発明の課題は、移動機による通信回線への接続処理中に、移動機がサーバ装置から表示データを受信した時点や場所に応じた可変的なデータを表示することである。
【０００６】
【課題を解決するための手段】
上記課題を解決するために、本発明に係る移動機は、サーバ装置から送信された、コンテンツデータを含む表示データを受信する受信手段と、前記受信手段により受信された前記表示データに含まれる前記コンテンツデータを格納する格納手段と、通信回線への接続処理中に、前記格納手段に格納されている前記コンテンツデータを表示する表示手段とを備える。
【０００７】
本発明に係る表示制御方法は、移動機が、サーバ装置から送信された、コンテンツデータを含む表示データを受信する受信ステップと、前記移動機が、前記受信ステップにて受信された前記表示データに含まれる前記コンテンツデータを格納手段に格納する格納ステップと、前記移動機が、通信回線への接続処理中に、前記格納手段に格納されている前記コンテンツデータを表示手段に表示する表示ステップとを含む。
【０００８】
本発明に係る表示制御プログラムは、サーバ装置から送信された、コンテンツデータを含む表示データを受信する受信処理と、前記受信処理により受信された前記表示データに含まれる前記コンテンツデータを格納手段に格納する格納処理と、通信回線への接続処理中に、前記格納手段に格納されている前記コンテンツデータを表示手段に表示する表示処理とを移動機に実行させる。
【０００９】
更に、本発明に係る表示制御システムは、上述した移動機とサーバ装置とを備え、前記移動機からの要求に応じて、前記コンテンツデータを含む表示データを前記サーバ装置宛に送信する。
【００１０】
なお、上記通信回線は、信号の伝送路であり、有線無線を問わない。
【００１１】
これらの発明によれば、サーバ装置から表示データが受信され当該表示データに含まれるコンテンツデータが格納手段に格納された後、移動機の通信回線への接続処理中に、格納手段から読み出されたコンテンツデータが表示手段に表示される。すなわち、通信回線への接続処理中に表示されるデータとして、移動機が予め保持するものではなく、上記接続処理に先立ってサーバ装置から送信されたコンテンツデータが使用される。したがって、移動機がサーバ装置から表示データを受信した時点（タイミング）や場所に応じた可変的なデータを回線接続処理中に表示することが可能となる。
【００１２】
本発明に係る移動機において好ましくは、前記受信手段により受信された前記表示データに含まれる前記コンテンツデータが、前記表示手段に表示可能なデータである場合に、当該コンテンツデータを前記格納手段に格納させる格納判定手段を更に備える。
【００１３】
本発明に係る表示制御方法において好ましくは、前記移動機が、前記受信ステップにて受信された前記表示データに含まれる前記コンテンツデータが、前記表示手段に表示可能なデータである場合に、当該コンテンツデータを前記格納手段に格納させる格納判定ステップを更に含む。
【００１４】
本発明に係る表示制御プログラムにおいて好ましくは、前記受信処理により受信された前記表示データに含まれる前記コンテンツデータが、前記表示手段に表示可能なデータである場合に、当該コンテンツデータを前記格納手段に格納させる格納判定処理を前記移動機に更に実行させる。
【００１５】
これらの発明によれば、前記コンテンツデータが表示手段に表示可能なデータであるか否かが判定され、表示可能であると判定された場合に、当該コンテンツデータが格納手段に格納される。これにより、接続処理中に表示できないコンテンツデータまでが移動機の格納手段に格納されて空きデータ容量が浪費されることを未然に回避できる。
【００１６】
本発明に係る移動機において好ましくは、前記格納手段に格納された前記コンテンツデータが有効期限内のデータである場合に、当該コンテンツデータを前記表示手段に表示させる表示判定手段を更に備える。
【００１７】
本発明に係る表示制御方法において好ましくは、前記移動機が、前記格納手段に格納された前記コンテンツデータが有効期限内のデータである場合に、当該コンテンツデータを前記表示手段に表示させる表示判定ステップを更に含む。
【００１８】
本発明に係る表示制御プログラムにおいて好ましくは、前記格納手段に格納された前記コンテンツデータが有効期限内のデータである場合に、当該コンテンツデータを前記表示手段に表示させる表示判定処理を前記移動機に更に実行させる。
【００１９】
接続処理中に表示されるコンテンツデータは、より有益な情報をユーザに提示する観点から、表示データが受信された時点から経過時間が短く、受信された場所と関連性の高いデータであることが望ましい。この点、これらの発明によれば、前記コンテンツデータが有効期限内のデータであるか否かが判定され、有効期限内のデータである場合には、当該コンテンツデータが表示手段に表示される。これにより、表示データが受信された時から長時間経過した、あるいは、表示データが受信された位置から遠く離れたといった場合に、ユーザにとって有益でなくなったコンテンツデータが表示される懸念が解消される。
【００２０】
本発明に係る移動機において好ましくは、前記格納手段に格納された前記コンテンツデータに設定された表示回数が残存する場合に、当該コンテンツデータを前記表示手段に表示させる表示判定手段を更に備える。
【００２１】
本発明に係る表示制御方法において好ましくは、前記移動機が、前記格納手段に格納された前記コンテンツデータに設定された表示回数が残存する場合に、当該コンテンツデータを前記表示手段に表示させる表示判定ステップを更に含む。
【００２２】
本発明に係る表示制御プログラムにおいて好ましくは、前記格納手段に格納された前記コンテンツデータに設定された表示回数が残存する場合に、当該コンテンツデータを前記表示手段に表示させる表示判定処理を前記移動機に更に実行させる。
【００２３】
接続処理中に表示されるコンテンツデータは、より新規性の高い情報をユーザに提示する観点から、過去に表示された回数が少ないデータであることが望ましい。この点、これらの発明によれば、前記コンテンツデータに設定された表示回数が残存するか否かが判定され、残存する表示回数が０より大きい場合には、当該コンテンツデータが表示手段に表示される。これにより、以前表示されたコンテンツデータと同一のデータが表示されてユーザが既に認識している情報が、必要以上に繰り返して提示される懸念が解消される。
【００２４】
本発明に係るサーバ装置は、上記移動機に表示データを送信するサーバ装置であって、前記移動機の位置情報に基づいてコンテンツデータを選択する選択手段と、前記選択手段により選択された前記コンテンツデータを含む表示データを前記移動機宛に送信する送信手段とを備える。
【００２５】
本発明によれば、移動機の位置情報に基づいて選択されたコンテンツデータを含む表示データが当該移動機宛に送信される。かかるコンテンツデータが移動機の格納手段に格納された後、通信回線への接続処理中に、格納手段から読み出されたコンテンツデータが表示手段に表示される。すなわち、通信回線への接続処理中に表示されるデータとして、移動機が事前に保持するものではなく、上記接続処理に先立って移動機の位置を基にサーバ装置から送信されたコンテンツデータが使用される。したがって、移動機がサーバ装置から表示データを受信した時点や場所に応じた可変的なデータを表示することが可能となる。
【００２６】
本発明に係るサーバ装置において、前記コンテンツデータは、例えば、前記移動機の位置情報に応じた天気に関する情報である。
なお、天気とは、移動機周辺における気象状態を指し、気圧、気温、湿度、風向、風速、降水量、降水確率、雲量などを含む。
【００２７】
移動機周辺の天気は、ユーザの移動に伴う移動機の変位や時間の経過に伴って時々刻々と変化する。本発明によれば、移動機の位置に応じた天気関連の情報が移動機の接続処理中に表示されることになるので、移動機を携帯するユーザにとって利便性の高い情報提供が可能となる。
【００２８】
本発明に係るサーバ装置において、前記コンテンツデータは、例えば、前記移動機の位置情報に応じたイベントに関する情報である。
【００２９】
通常、イベントは所定の期間に所定の場所で行われるので、移動機のユーザが参加可能な日時及び場所で行われるイベントに関する情報を、移動機の位置つまりユーザの現在位置に応じて提供することは有効である。本発明によれば、移動機の位置に応じたイベント関連の情報が移動機の接続処理中に表示されることになるので、移動機を携帯するユーザに対する効果的な情報提供が可能となる。
【００３０】
【発明の実施の形態】
以下、例示のために添付された図面を参照しながら、本発明の一実施形態について説明する。
まず、本実施の形態における表示制御システム１の構成について説明する。図１は、表示制御システム１の機能的構成を示すブロック図である。図１に示す様に、表示制御システム１は、移動機１０とＷｅｂサーバ２０とを備え、移動機１０は、基地局Ｂ及びネットワーク事業者網Ｎを経由して、Ｗｅｂサーバ２０との間で各種データの送受信が可能な様に接続されている。
【００３１】
移動機１０について説明する。図１に示す様に、移動機１０は、基地局Ｂと無線通信可能に構成されており、基地局Ｂ及びネットワークＮを介して、後述のＨＴＴＰリクエストの送信、及びＨＴＴＰレスポンスの受信を行う。移動機１０は、例えば、音声通信機能とデータ通信機能とを併せ持った携帯電話であり、ＰＤＣ（Ｐｅｒｓｏｎａｌ  Ｄｉｇｉｔａｌ  Ｃｅｌｌｕｌａｒ）方式、ＣＤＭＡ（Ｃｏｄｅ  Ｄｉｖｉｓｉｏｎ  Ｍｕｌｔｉｐｌｅ  Ａｃｃｅｓｓ）方式など、適用される通信方式は任意である。
【００３２】
移動機１０は、機能的な構成要素として、通信制御部１１（受信手段に対応）と、位置情報格納部１２と、入力部１３と、表示コンテンツ格納判定部１４（格納判定手段に対応）と、表示コンテンツ格納部１５（格納手段に対応）と、表示コンテンツ表示判定部１６（表示判定手段に対応）と、表示部１７（表示手段に対応）とを備える。
【００３３】
ここで、位置情報格納部１２と表示コンテンツ格納部１５とは、物理的な構成要素としては、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の内蔵メモリに対応する。表示部１７は、同じく物理的な構成要素として、ＬＣＤ（Ｌｉｑｕｉｄ  Ｃｒｙｓｔａｌ  Ｄｉｓｐｌａｙ）等の表示装置に対応する。その他の構成要素である通信制御部１１と、入力部１３と、表示コンテンツ格納判定部１４と、表示コンテンツ表示判定部１６とは、上記内蔵メモリに格納されたソフトウェアがＣＰＵ（Ｃｅｎｔｒａｌ  Ｐｒｏｃｅｓｓｉｎｇ  Ｕｎｉｔ）によって実行されることにより実現する。
【００３４】
以下、移動機１０の各構成要素について詳細に説明する。
通信制御部１１は、基地局Ｂとの間で通信を行う。詳細には、通信制御部１１は、基地局Ｂから受信された報知情報から基地局Ｂの識別情報を抽出し、該識別情報を位置情報として位置情報格納部１２に格納させる。通信制御部１１は、入力部１３による指示内容に応じて、Ｗｅｂページ（表示データに対応）の送信要求であるＨＴＴＰリクエストの送信やＷｅｂページ等のＨＴＴＰレスポンスの受信を行う。
【００３５】
位置情報格納部１２は、通信制御部１１により報知情報から抽出された基地局Ｂの識別情報を位置情報として格納する。
入力部１３は、ボタン及びダイヤルといった、ユーザがＵＲＬ（Ｕｎｉｆｏｒｍ  Ｒｅｓｏｕｒｃｅ  Ｌｏｃａｔｏｒ）等の各種情報を入力する際のインタフェースである。入力部１３は、ユーザの操作に従って、通信制御部１１に対してＷｅｂページの取得を指示すると共に、Ｗｅｂページの取得が指示された旨を表示コンテンツ表示判定部１６に通知する。
【００３６】
表示コンテンツ格納判定部１４は、後述の表示コンテンツ格納判定処理を実行することにより、通信制御部１１により受信されたＷｅｂページに含まれる表示コンテンツ（コンテンツデータに対応）がデータ形式、エンコード形式などの諸条件を満たす場合には、かかる表示コンテンツをＷｅｂページの中から抽出して、表示コンテンツ格納部１５に格納させる。
【００３７】
表示コンテンツ格納部１５は、表示コンテンツ格納判定部１４による格納許否判定の結果、格納することが決定された表示コンテンツを格納する。また、表示コンテンツ格納部１５には、Ｗｅｂサーバ２０から取得された表示コンテンツの中に表示可能なコンテンツが存在しない場合に表示されるコンテンツとして、デフォルトコンテンツが予め保持されている。
【００３８】
表示コンテンツ表示判定部１６は、Ｗｅｂページの取得が指示された旨の通知を入力部１３から受けると、表示コンテンツ格納部１５に格納されている表示コンテンツの表示許否を判定する。判定対象の表示コンテンツが、有効期限内であり、かつ予定の表示回数に到達していない場合には、これを表示部１７に表示させ、有効期限を徒過、又は予定の表示回数に到達している場合には、既存のデフォルトコンテンツを表示させる。
【００３９】
表示部１７は、表示コンテンツ表示判定部１６により表示を指示されたコンテンツの表示を行う。すなわち、表示部１７は、表示許否判定の結果、表示が許可された表示コンテンツを表示すると共に、表示が拒否された表示コンテンツの代わりにデフォルトコンテンツを表示する。
【００４０】
プロキシサーバ２０は、機能的な構成要素として、Ｗｅｂページ格納部２１と、表示コンテンツ格納部２２と、Ｗｅｂページ送信部２３（送信手段に対応）と、表示コンテンツ選択部２４（選択手段に対応）とを備える。
【００４１】
Ｗｅｂページ格納部２１には、移動機１０のＨＴＴＰリクエストに応じたＨＴＴＰレスポンスとして送信されるＷｅｂページが更新可能に格納されている。このＷｅｂページは、組み込まれる表示コンテンツが適宜変更可能な様に、表示コンテンツが組み込まれる前の状態で格納されている。
【００４２】
表示コンテンツ格納部２２には、Ｗｅｂページに組み込まれて移動機１０宛に送信される表示コンテンツが、その表示コンテンツ名と対応付けて更新可能に格納されている。表示コンテンツは、ＴＥＸＴ，ＪＰＥＧ（Ｊｏｉｎｔ  Ｐｈｏｔｏｇｒａｐｈｉｃ  Ｅｘｐｅｒｔｓ  Ｇｒｏｕｐ），ＧＩＦ（Ｇｒａｐｈｉｃ  Ｉｎｔｅｒｃｈａｎｇｅ  Ｆｏｒｍａｔ）を始めとする所定のデータ形式（属性はｔｙｐｅ）、及びＢＡＳＥ６４等の所定のエンコード形式（属性ｅｎｃｏｄｉｎｇ）を有する。また、表示コンテンツには、現在時刻（属性ｔｉｍｅ）、有効期限の開始日時（属性ｎｏｔ−ｂｅｆｏｒｅ）、有効期限の終了日時（属性ｎｏｔ−ａｆｔｅｒ）、予定表示回数（属性ｌｏｏｐ）が更新可能に設定されている。表示コンテンツ名は、送信対象となる表示コンテンツを一意に識別可能な情報である。例えば、表示コンテンツが天気に関するものである場合には、表示コンテンツ名は“ｗｅａｔｈｅｒ＿ａ”であり、表示コンテンツがイベントに関するものである場合には“ｅｖｅｎｔ＿ａ＿１”，“ｅｖｅｎｔ＿ａ＿２”，“ｅｖｅｎｔ＿ａ＿３”となる。なお、表示コンテンツは、天気、イベントに限らずニュース等であってもよい。
【００４３】
Ｗｅｂページ送信部２３は、ＨＴＴＰリクエストを移動機１０から受信すると、該ＨＴＴＰリクエストにより特定されるＷｅｂページをＷｅｂページ格納部２１から取得する。Ｗｅｂページの特定は、例えば、ＨＴＴＰリクエストの指定するＵＲＬによって可能である。更に、Ｗｅｂページ送信部２３は、表示コンテンツ選択部２４により選択された表示コンテンツを上記Ｗｅｂページに組み込み、このＷｅｂページをＨＴＴＰレスポンスとして移動機１０宛に送信する。
【００４４】
Ｗｅｂページへの表示コンテンツの組込みは、Ｘ−ＨＩＤＤＥＮと呼ばれる特定のタグにより可能である。例えば、“ｈｔｔｐ：／／ｗｗｗ．ｄｏｃｏｍｏ．ｎｅ．ｊｐ／ｌｉｎｋ１．ｈｔｍ”のＵＲＬにより指定されるＷｅｂページに、「今日の天気は“曇りのち晴れ”」なるテキストデータの表示コンテンツが組み込まれたソースコードを図２に示す。図２では、表示コンテンツはテキストデータであるものを図示したが、画像データであってもよい。Ｘ−ＨＩＤＤＥＮは、移動機１０による認識が可能であり、＜Ｘ−ＨＩＤＤＥＮ  ＞と＜／Ｘ−ＨＩＤＤＥＮ＞との間に記述されているデータの格納を指示するが受信時における表示は指示しない。
【００４５】
表示コンテンツ選択部２４は、参照テーブル２４１を有する。図３は、参照テーブル２４１に格納される表示コンテンツ名の一例を示す図である。図３に示す様に、参照テーブル２４１は、位置情報格納領域２４１ａと、表示コンテンツ種別領域２４１ｂと、表示コンテンツ名領域２４１ｃとを有する。
【００４６】
位置情報格納領域２４１ａには、ＨＴＴＰリクエストの一部として移動機１０から送信される位置情報の照合対象となる位置情報（例えば、Ｃ１，Ｃ２）が格納されている。
表示コンテンツ種別領域２４１ｂには、表示コンテンツ格納部２２に格納されている表示コンテンツが移動機１０のユーザに提示する内容の種別（例えば、天気、イベント）が「表示コンテンツ種別」として格納されている。
【００４７】
表示コンテンツ名領域２４１ｃには、表示コンテンツ格納部２２から取得される表示コンテンツを特定するための識別情報が「表示コンテンツ名」として格納されている。例えば、位置情報が“Ｃ１”かつ表示コンテンツ種別が“天気”である場合の表示コンテンツ名としては“ｗｅａｔｈｅｒ＿ａ”が格納されており、この表示コンテンツ名により特定される表示コンテンツが要求されたＷｅｂページに組み込まれることになる。
【００４８】
表示コンテンツ選択部２４は、参照テーブル２４１を参照して、移動機１０宛の表示コンテンツを表示コンテンツ格納部２２から取得する。すなわち、表示コンテンツ選択部２４は、Ｗｅｂページ送信部２３により受信されたＨＴＴＰリクエストから移動機１０の位置情報を取得すると、該位置情報に対応する複数の表示コンテンツ名の中から１の表示コンテンツ名を選択する。そして、選択された表示コンテンツ名に対応する表示コンテンツを表示コンテンツ格納部２２から取得する。
【００４９】
ここで、選択される表示コンテンツ名は、ＨＴＴＰリクエストに含まれる位置情報に対応するものであれば足り、天気又はイベントの何れの表示コンテンツ種別に対応する表示コンテンツ名を選択するかは任意に設定可能である。移動機１０からのＨＴＴＰリクエストに関して、例えば、天気、イベントの表示コンテンツ種別が交互に決定されるものとしてもよいしランダムに決定されるものとしてもよい。また、複数の表示コンテンツ名を有する表示コンテンツ種別（本実施形態ではイベント）が決定された場合においても、表示コンテンツ名が、シーケンシャルあるいはランダムに選択されるものとしてもよい。
【００５０】
次に、表示制御システム１の動作を説明し、併せて、本発明に係る表示制御方法について説明する。図４は、表示制御システム１により実行されるコンテンツ表示制御処理を説明するためのフローチャートである。
【００５１】
まずＳ１では、移動機１０のユーザによる指示に応じて、移動機１０とプロキシサーバ２０との間に無線チャネルが確立される。これにより、移動機１０とプロキシサーバ２０間において基地局Ｂ及びネットワークＮを経由した信号の送受信が可能になる。
【００５２】
Ｓ２では、Ｓ１で確立された無線チャネルを用いて、ＨＴＴＰリクエストが、移動機１０からプロキシサーバ２０に送信される。
Ｓ３では、プロキシサーバ２０は、Ｓ２で送信されたＨＴＴＰリクエストに含まれる位置情報をもとに、以下に説明する表示コンテンツ組込み処理を実行する。
【００５３】
図５を参照して、表示コンテンツ組込み処理について詳述する。
まずＳ３１では、Ｗｅｂページ送信部２３は、Ｓ２で受信されたＨＴＴＰリクエストに対応するＷｅｂページをＷｅｂページ格納部２１から取得する。Ｓ３２では、表示コンテンツ選択部２４は、同じくＳ２で受信されたＨＴＴＰリクエストから移動機１０の位置情報を取得する。
【００５４】
続いて、表示コンテンツ選択部２４は、Ｗｅｂページに組み込むための表示コンテンツの表示コンテンツ種別を決定する（Ｓ３３）。この処理により、Ｓ３２で取得された位置情報と、Ｓ３３で決定された表示コンテンツ種別とに対応する表示コンテンツが選択候補となる（Ｓ３４）。例えば、位置情報“Ｃ２”により識別される領域に移動機１０が位置し、かつ、表示コンテンツ種別が“イベント”に決定された場合には、図３に示す様に、表示コンテンツ名“ｅｖｅｎｔ＿ｂ＿１”，“ｅｖｅｎｔ＿ｂ＿２”を有する表示コンテンツが選択候補となる。
【００５５】
Ｓ３５では、表示コンテンツ選択部２４は、Ｓ３４における表示コンテンツ選択候補が複数存在するか否かを判定する。当該判定の結果、表示コンテンツの選択候補が複数存在する場合には、表示コンテンツ選択部２４は、当該選択候補の中から、Ｗｅｂページに組み込む表示コンテンツを更に選択する（Ｓ３６）。例えば、表示コンテンツの選択候補として、表示コンテンツ名“ｅｖｅｎｔ＿ｂ＿１”，“ｅｖｅｎｔ＿ｂ＿２”を有する表示コンテンツが挙がっている場合には、これらの表示コンテンツの内、何れか一方が選択される。
【００５６】
一方、Ｓ３５における判定の結果、表示コンテンツの選択候補が１つである場合には、表示コンテンツ選択部２４は、当該選択候補の表示コンテンツをＷｅｂページに組み込む表示コンテンツとして確定する（Ｓ３７）。
【００５７】
Ｓ３８では、表示コンテンツ選択部２４は、Ｓ３６で選択又はＳ３７で確定された表示コンテンツを表示コンテンツ格納部２２から取得する。
そして、Ｗｅｂページ送信部２３は、Ｓ３８で取得された表示コンテンツを表示コンテンツ選択部２４から取得した後、Ｓ３１で取得されたＷｅｂページに当該表示コンテンツを組み込む（Ｓ３９）。かかる処理を以って表示コンテンツ組込み処理を終了する。
【００５８】
図４に戻り、Ｓ４では、Ｓ３９において表示コンテンツが組み込まれたＷｅｂページが、ＨＴＴＰレスポンスとして、プロキシサーバ２０から移動機１０に送信される。この送信は、ネットワーク事業者網Ｎ及び基地局Ｂを経由して行われる。
【００５９】
Ｓ５においては、通信制御部１１により受信されたＨＴＴＰレスポンスの中から表示コンテンツが抽出され格納されることになるが、この処理に先立って、表示コンテンツの格納の適否を判定するための表示コンテンツ格納判定処理が実行される。
【００６０】
以下、図６を参照して、表示コンテンツ格納判定部１４により実行制御される表示コンテンツ格納判定処理について詳述する。まず、Ｓ５１では、表示コンテンツ格納判定部１４は、Ｓ４でＨＴＴＰレスポンスとして受信されたＷｅｂページの受信先（送信元）のＵＲＬが、移動機１０に予め登録されているか否かを判定する。すなわち、移動機１０には、格納すべき表示コンテンツを有するＷｅｂページのＵＲＬが予め保持されており、受信されたＷｅｂページの受信先ＵＲＬが保持されている場合にのみ、後続のＳ５２に移行する。受信先ＵＲＬが移動機１０に保持されていない場合には、表示コンテンツ格納判定処理は終了し、表示コンテンツは格納されない。
【００６１】
本実施の形態では、受信先ＵＲＬとして、プロキシサーバ２０のＵＲＬが移動機１０に登録されている。このように、表示コンテンツの格納対象となる受信先ＵＲＬを限定することにより、表示コンテンツ格納部１５に格納される表示コンテンツが限定される。したがって、例えば公序良俗に反する様な好ましくない表示コンテンツがＷｅｂページを介して移動機１０に格納されることがなくなる。これに伴い、かかる表示コンテンツが移動機１０にて表示されることも防止される。
【００６２】
Ｓ５２では、表示コンテンツ格納判定部１４は、Ｓ４でＨＴＴＰレスポンスとして受信されたＷｅｂページ内に、上述したＸ−ＨＩＤＤＥＮタグが記述されているか否かを判定する。判定の結果、Ｘ−ＨＩＤＤＥＮタグが記述されていない場合には（Ｓ５２；Ｎｏ）、受信されたＷｅｂページ内に表示コンテンツが存在しないことになるので、表示コンテンツ格納判定部１４は、表示コンテンツを格納せずに表示コンテンツ格納判定処理を終了する。
【００６３】
一方、Ｓ５２における判定の結果、Ｘ−ＨＩＤＤＥＮタグが記述されている場合には（Ｓ５２；Ｙｅｓ）、表示コンテンツ格納判定部１４は、当該タグによりＷｅｂページに組み込まれている表示コンテンツのデータ形式に移動機１０が対応しているか否かを判定する（Ｓ５３）。判定の結果、移動機１０が上記データ形式に対応していない場合には（Ｓ５３；Ｎｏ）、移動機１０は、上記表示コンテンツを格納しても表示できないので、当該表示コンテンツを格納せずに表示コンテンツ格納判定処理を終了する。このとき、表示コンテンツ格納判定部１４は、この表示コンテンツを破棄してもよい。
【００６４】
Ｓ５３における判定の結果、移動機１０が表示コンテンツのデータ形式に対応している場合には（Ｓ５３；Ｙｅｓ）、表示コンテンツ格納判定部１４は、当該表示コンテンツのエンコード形式に移動機１０が対応しているか否かを判定する（Ｓ５４）。判定の結果、移動機１０が上記エンコード形式に対応していない場合には（Ｓ５４；Ｎｏ）、移動機１０は、上記表示コンテンツを格納しても表示できないので、当該表示コンテンツを格納せずに表示コンテンツ格納判定処理を終了する。このとき、表示コンテンツ格納判定部１４は、この表示コンテンツを破棄してもよい。
【００６５】
一方、Ｓ５４における判定の結果、移動機１０が表示コンテンツのエンコード形式に対応している場合には（Ｓ５４；Ｙｅｓ）、この表示コンテンツの表示が可能であるので、表示コンテンツ格納判定部１４は、表示コンテンツを格納可能であるか否かの判定を行う。すなわち、表示コンテンツ格納判定部１４は、表示コンテンツ格納部１５内に新たに格納可能なデータ容量（空きデータ容量）と、Ｗｅｂページに組み込まれている表示コンテンツのデータ容量との大小関係を比較し、表示コンテンツ格納部１５への格納の可否を判定する（Ｓ５５）。
【００６６】
当該判定の結果、表示コンテンツのデータ容量が空きデータ容量よりも大きく空きデータ容量が不充分である場合には（Ｓ５５；Ｎｏ）、移動機１０は、上記表示コンテンツを格納できないので、この表示コンテンツを破棄し、表示コンテンツ格納判定処理を終了する。
【００６７】
一方、Ｓ５５における判定の結果、表示コンテンツのデータ容量が空きデータ容量よりも小さく空きデータ容量が充分である場合には（Ｓ５５；Ｙｅｓ）、表示コンテンツの表示及び格納が共に可能であるので、表示コンテンツ格納判定部１４は、表示コンテンツ格納部１５に表示コンテンツを格納する（Ｓ５６）。かかる処理を以って、移動機１０による無線チャネルへの接続処理中に表示コンテンツを表示する準備が完了する。
【００６８】
Ｓ６では、移動機１０のユーザが、Ｗｅｂページの閲覧終了に伴って無線チャネルの切断を指示すると、移動機１０とプロキシサーバ２０との間にＳ１で確立された無線チャネルが一旦切断される。
【００６９】
Ｓ７では、表示コンテンツ表示判定部１６は、無線チャネルへの接続指示を待機している。該チャネル接続指示の待機中に表示部１７に表示される画面１７１を図７（ａ）に示す。例えば、移動機１０のユーザがＷｅｂページを閲覧するために、入力部１３により「１．ｉＭｅｎｕ」を選択すると、表示コンテンツ表示判定部１６は、これをチャネル接続指示として検知し（Ｓ７；Ｙｅｓ）、以下に説明する表示コンテンツ表示判定処理を実行する。
【００７０】
以下、図８を参照して、表示コンテンツ表示判定部１６により実行制御される表示コンテンツ表示判定処理について詳述する。まず、Ｓ８１では、表示コンテンツ表示判定部１６は、表示コンテンツ格納部１５に表示コンテンツが格納されているか否かを判定する。判定の結果、表示コンテンツが格納済である場合には（Ｓ８１；Ｙｅｓ）、表示コンテンツ表示判定部１６は、該表示コンテンツに設定されている現在時刻と有効期限の終了日時とを比較することにより、表示コンテンツが有効期限内のものであるか否かを判定する（Ｓ８２）。
【００７１】
当該判定の結果、表示コンテンツが有効期限内である場合には（Ｓ８２；Ｙｅｓ）、表示コンテンツ表示判定部１６は、当該表示コンテンツに予定表示回数Ｎが設定されているか否かを判定する（Ｓ８３）。判定の結果、表示コンテンツに予定表示回数Ｎが設定されている場合には（Ｓ８３；Ｙｅｓ）、表示コンテンツ表示判定部１６は、予定表示回数Ｎが０より大きいか否かを判定する（Ｓ８４）。
【００７２】
当該判定の結果、予定表示回数Ｎが０より大きい場合には（Ｓ８４；Ｙｅｓ）、表示コンテンツの予定表示回数に残りがあるので、表示コンテンツ表示判定部１６は、予定表示回数Ｎから今回の表示処理に係る１を減算した後に（Ｓ８５）、表示部１７への表示コンテンツの表示を行う（Ｓ８６）。この表示処理を以って表示コンテンツ表示判定処理を終了する。
【００７３】
Ｓ８３における判定の結果、表示コンテンツに予定表示回数Ｎが設定されていない場合には（Ｓ８３；Ｎｏ）、表示コンテンツは、有効期限内である限り無制限に表示できることになるので、Ｓ８４及びＳ８５の処理を省略してＳ８６の表示処理に移行する。Ｓ８６において無線チャネルへの接続処理中に表示部１７に表示される画面１７２を図７（ｂ）に示す。本実施の形態では、移動機１０は、表示コンテンツとして、「今日の天気は“曇りのち晴れ”」なるテキストデータが組み込まれたＷｅｂページを前回のチャネル接続時に取得している。したがって、かかるテキストデータ１７２ａが表示部１７の最前面に表示される。
【００７４】
更に、Ｓ８１における判定の結果、表示コンテンツ格納部１５に表示コンテンツが格納されていない場合には（Ｓ８１；Ｎｏ）、表示コンテンツ表示判定部１６は、その代わりとしてデフォルトコンテンツを表示部１７に表示させる（Ｓ８７）。同様に、表示コンテンツがその有効期限を徒過している場合（Ｓ８２；Ｎｏ）、及びその予定表示回数が０以下である場合（Ｓ８４；Ｎｏ）には、表示コンテンツ表示判定部１６は、表示コンテンツの代わりにデフォルトコンテンツを表示部１７に表示させる（Ｓ８７）。これにより、取得された表示コンテンツの有無、あるいは有効、無効を問わず、チャネル接続処理中におけるコンテンツデータの表示が可能となる。
【００７５】
図４に戻り、Ｓ９では、チャネル接続指示（Ｓ７）に応じて、上記無線チャネルが再び確立される。無線チャネルが確立されると、移動機１０が取得を要求したＷｅｂページの受信が完了する。このＷｅｂページの受信完了を契機として、図８のＳ８６で表示された表示コンテンツ又はＳ８７で表示されたデフォルトコンテンツの表示は終了し、上記Ｗｅｂページが表示される。移動機１０により無線チャネルが確立された直後に表示される画面１７３を図７（ｃ）に示す。
【００７６】
その後、Ｓ１０以降の処理が継続して実行されるが、Ｓ９〜Ｓ１３の各処理は、Ｓ１〜Ｓ５に示した各処理とそれぞれ同様であるので、その詳細な説明は省略する。Ｓ１３の処理の完了を以って、Ｓ５で格納された表示コンテンツとは異なる新たな表示コンテンツが格納される。この表示コンテンツは、移動機１０による次回のチャネル接続処理中に表示されるコンテンツデータとして使用される。
【００７７】
以上説明した様に、本発明に係る表示制御システム１によれば、移動機１０がＷｅｂページの送信をプロキシサーバ２０に要求すると、プロキシサーバ２０は、移動機１０の位置に応じた表示コンテンツを上記Ｗｅｂページに記述して移動機１０に送信する。その後、移動機１０は、無線チャネルへの接続処理を実行すると、その実行中に上記表示コンテンツを表示する。これにより、待ち時間に表示される表示コンテンツは、移動機１０がプロキシサーバ２０からＷｅｂページを取得したタイミングや場所に応じて接続処理毎に異なることになる。したがって、移動機１０に既存のコンテンツデータを表示する場合に比べて、ユーザにとって有用な情報を提示することができる。
【００７８】
好適には、移動機１０は、取得したＷｅｂページに含まれる全ての表示コンテンツを格納するのではなく、移動機１０への表示及び格納が可能な表示コンテンツのみを格納する。これにより、使用されない表示コンテンツが格納されて空きデータ容量が浪費されることが防止される。更に、表示コンテンツの表示期間や表示回数に所定の制限を付与することにより、不要となった表示コンテンツが格納又は表示されることが回避される。
【００７９】
次に、上述した一連のコンテンツ表示制御処理を移動機１０に実行させるためのコンテンツ表示制御処理プログラムについて説明する。図９に示すように、コンテンツ表示制御処理プログラム３１は、記録媒体３０に形成されたプログラム格納領域３０ａに格納されている。コンテンツ表示制御処理プログラム３１は、コンテンツ表示制御処理を統括的に制御するメインモジュール３１ａと、受信モジュール３１ｂと、格納モジュール３１ｃと、表示モジュール３１ｄと、格納判定モジュール３１ｅと、表示判定モジュール３１ｆとを、その構成単位として有する。
【００８０】
受信モジュール３１ｂを実行させることによって実現する機能は、移動機１０の通信制御部１１の機能と同様である。受信モジュール３１ｂは、例えば、プロキシサーバ２０から送信された、表示コンテンツを含むＷｅｂページを受信する。格納モジュール３１ｃを実行させることによって格納されるデータは、表示コンテンツ格納部１５に格納されるデータと同様である。表示モジュール３１ｄを実行させることによって表示されるデータは、表示部１７に表示されるデータと同様である。格納判定モジュール３１ｅを実行させることによって実現する機能は、表示コンテンツ格納判定部１４の機能と同様である。
【００８１】
格納判定モジュール３１ｅを実行させることによって実現する機能は、表示コンテンツ格納判定部１４の機能と同様である。格納判定モジュール３１ｅは、例えば、受信されたＷｅｂページに含まれる表示コンテンツが表示部１７に表示可能なデータである場合に、当該表示コンテンツを表示コンテンツ格納部１５に格納させる。表示判定モジュール３１ｆを実行させることによって実現する機能は、表示コンテンツ表示判定部１６の機能と同様である。表示判定モジュール３１ｆは、例えば、表示コンテンツ格納部１５に格納されている表示コンテンツが有効期限内のデータである場合に該表示コンテンツを表示部１７に表示させる。また、表示判定モジュール３１ｆは、表示コンテンツ格納部１５に格納されている表示コンテンツに設定された表示回数が残存する場合に、当該表示コンテンツを表示部１７に表示させる。
【００８２】
また、コンテンツ表示制御処理プログラム３１は、その全部若しくは一部が、通信回線等の伝送媒体を介して伝送され、移動機１０を含む情報通信機器により受信されて記録（インストールを含む）される構成としてもよい。
【００８３】
なお、本発明は、上述した実施の形態に限定されるものではなく、その趣旨を逸脱しない範囲において、適宜変形態様を採ることも可能である。例えば、移動機１０が表示コンテンツを表示するタイミングは、上記実施の形態では、移動機１０による通信回線への接続処理中とした。しかし、このタイミングに限らず、接続完了後に一旦表示されたＷｅｂページが別のＷｅｂページに切り替えられるまでの間（次画面への移行処理中）に表示コンテンツを表示するものとしてもよい。この場合には、表示コンテンツ表示判定処理の実行は、無線チャネルへの接続指示ではなく、Ｗｅｂページの切替え指示を契機として開始される。
【００８４】
また、移動機１０が無線チャネルへの接続処理中に表示コンテンツを表示する態様においては、前回の接続時と同一のＷｅｂページの取得を要求した場合はもとより、前回の接続時とは異なるＷｅｂページの取得を要求した場合にも本発明を適用可能であることは勿論である。
【００８５】
【発明の効果】
本発明によれば、サーバ装置から表示データが受信され当該表示データに含まれるコンテンツデータが格納手段に格納された後、移動機の通信回線への接続処理中に、格納手段から読み出されたコンテンツデータが表示手段に表示される。すなわち、通信回線への接続処理中に表示されるデータとして、移動機が予め保持するものではなく、上記接続処理に先立ってサーバ装置から送信されたコンテンツデータが使用される。したがって、移動機がサーバ装置から表示データを受信したタイミングや場所に応じた可変的なデータを回線接続処理中に表示することが可能となる。
【図面の簡単な説明】
【図１】移動機とＷｅｂサーバとを備える表示制御システムの機能的構成を説明するためのブロック図である。
【図２】テキストデータとしての表示コンテンツがＷｅｂページに組み込まれた様子を示す図である。
【図３】Ｗｅｂサーバの表示コンテンツ格納部内のデータ格納例を示す図である。
【図４】本発明に係る表示制御システムの動作を説明するためのフローチャートである。
【図５】Ｗｅｂサーバにより実行される表示コンテンツ組込み処理を説明するためのフローチャートである。
【図６】移動機により実行される表示コンテンツ格納判定処理を説明するためのフローチャートである。
【図７】図７（ａ）は、移動機が回線接続する前における表示画面の一例を示す図であり、図７（ｂ）は、移動機の回線接続処理中における表示画面の一例を示す図であり、図７（ｃ）は、移動機が回線接続した後における表示画面の一例を示す図である。
【図８】移動機により実行される表示コンテンツ表示判定処理を説明するためのフローチャートである。
【図９】本発明に係る表示制御プログラムの構成を示す図である。
【符号の説明】
１０…移動機、１１…通信制御部、１４…表示コンテンツ格納判定部、１５…表示コンテンツ格納部、１６…表示コンテンツ表示判定部、１７…表示部、２０…プロキシサーバ、２３…Ｗｅｂページ送信部、２４…表示コンテンツ選択部、Ｂ…基地局、Ｎ…ネットワーク
【図１】
2005051366.tif 000003
【図２】
2005051366.tif 000004
【図３】
2005051366.tif 000005
【図４】
2005051366.tif 000006
【図５】
2005051366.tif 000007
【図６】
2005051366.tif 000008
【図７】
2005051366.tif 000009
【図８】
2005051366.tif 000010
【図９】
2005051366.tif 000011